(57)【要約】【課題】発光波長の異なる４つのＬＥＤが縦横に配置されてユニット化された光源体を複数有し、当該複数の光源体が縦横に並設された空間照明用の光源装置において、各ＬＥＤからの複数色の光の混光性を高めて照射面での色ムラの発生を防止し、所望の色彩を再現した演出を実現できるようにした光源装置を提供するものである。【解決手段】前記光源体のＬＥＤの配置パターンは、隣接する光源体のＬＥＤの配置パターンを一方向に回転させて異なる配置パターンにされていることを特徴とする。【選択図】  図１
2019186054.tif 000002
【特許請求の範囲】
【請求項１】
発光波長の異なる４つのＬＥＤが縦横に配置されてユニット化された光源体を複数有し、当該複数の光源体が縦横に並設された空間照明用の光源装置において、
前記光源体のＬＥＤの配置パターンは、隣接する光源体のＬＥＤの配置パターンを一方向に回転させて異なる配置パターンにされていることを特徴とする空間照明用の光源装置。
【請求項２】
前記４つのＬＥＤが、それぞれ、赤色、緑色、青色、白色を発光するものであることを特徴とする請求項１に記載の空間照明用の光源装置。
【請求項３】
前記光源体のＬＥＤの配置パターンは、隣接する光源体のＬＥＤの配置パターンを１８０度回転させて異なる配置パターンとされていることを特徴とする請求項１または２に記載の空間照明用の光源装置。
【発明の詳細な説明】
【技術分野】
【０００１】
本発明は、空間の雰囲気を変えて演出するための空間照明用の照明装置に関するものである。
【背景技術】
【０００２】
屋外に設置されるＬＥＤを光源とした照明装置が、例えば、特開２０１７−１７４７８７号公報（特許文献１）などで知られている。
図６にその概要が示されていて、基台５０上に取付けられた支持脚５１によって筐体５２が支持されていて、筺体５２には複数の光源体５５が配置された基板５６が設けられている。この光源体５５からの放射光によって屋外の対象物を照明するものである。
このような屋外照明装置は、近年では、空間を照らす本来の機能に加えて、同じ空間の雰囲気を変えて演出することが可能な演出照明としての機能が注目されている。例えば、空間全体を照らす主照明と部分照明との使い分けや、調光や調色が可能な照明装置が開発されており、建物の壁面や床、橋梁や塔等の物体を照らすことが行われている。
【０００３】
このような演出照明として調色を行う際、例えば、発光波長の異なる複数のＬＥＤを組み合わせて照射面で混光させ、また個々のＬＥＤの光出力を制御することにより、さまざまな色彩に調色することが可能となる。
このような空間照明用の光源装置に用いられる光源体５５としては、図７（Ａ）に示すように、４つのＬＥＤ６０として、それぞれ、赤色、緑色、青色、白色を発光するＬＥＤ６１〜６４を縦横に並設して組み合わせたものが知られている。
【０００４】
しかし、このような発光波長の異なる複数のＬＥＤを組み合わせた光源体を有する光源装置の場合、照射面における各ＬＥＤからの複数色の光の混光性が問題となる。
図７（Ｂ）は、各光源体からの出射光を照射面に投影した場合の照度分布図であり、説明の都合上、例えば、赤色ＬＥＤ６１からの赤色光に着目すると、同図に示すように、その照射面における照度分布が中心位置から左上方向にシフトしてしまう。他の発光色についても同様であって、それぞれのＬＥＤからの出射光の照度分布は、その各ＬＥＤの配置方向にシフトし、これら各ＬＥＤからの出射光は照射面での混交性が悪くなる。
このように、各ＬＥＤから出射された複数色の光の混光性が悪いと、照射面での色ムラが発生したり、所望の色彩を再現できず演出を損なわせたり、といった問題が生じる。
【先行技術文献】
【特許文献】
【０００５】
【特許文献１】特開２０１７−１７４７８７号公報
【発明の概要】
【発明が解決しようとする課題】
【０００６】
本発明は、上記従来技術の問題点に鑑みて、発光波長の異なる４つのＬＥＤを用いた光源体を複数並設してなる空間照明用の光源装置において、各ＬＥＤからの複数色の光の混光性を高めて照射面での色ムラの発生を防止し、所望の色彩を再現した演出を実現できるようにした光源装置を提供するものである。
【課題を解決するための手段】
【０００７】
上記課題を解決するために、本発明の空間照明用の光源装置は、発光波長の異なる４つのＬＥＤが縦横に配置されてユニット化された光源体を複数有し、当該複数の光源体が縦横に並設されていて、前記光源体のＬＥＤの配置パターンは、隣接する光源体のＬＥＤの配置パターンを一方向に回転させて異なる配置パターンにされていることを特徴とする。
また、前記４つのＬＥＤが、それぞれ、赤色、緑色、青色、白色を発光するものであることを特徴とする。
また、前記光源体のＬＥＤの配置パターンは、隣接する光源体のＬＥＤの配置パターンを１８０度回転させて異なる配置パターンとされていることを特徴とする。
【発明の効果】
【０００８】
この発明の空間照明用の光源装置によれば、各光源体における４つのＬＥＤが、隣接する光源体で発光色ごとに異なる位置に配置されるため、これらＬＥＤによって形成される照射エリアでの各色の偏りが解消されて適切に混色されるので、照明面での色ムラ（色割れ）を改善することができる。
また、隣接する光源体のＬＥＤの配置パターンを１８０度回転させて異なる配置パターンとすることで、照射エリアでの各色の偏りを効果的に解消して最大限に混色できるので、照明面での色ムラを大幅に改善することができる。
【図面の簡単な説明】
【０００９】
【図１】本発明の光源装置の第１実施例における各ＬＥＤの配置パターン（Ａ）およびそのＢ−Ｂ断面図。
【図２】第１実施例による赤色ＬＥＤの配光分布。
【図３】第２実施例における各ＬＥＤの配置パターン。
【図４】第２実施例による赤色ＬＥＤの配光分布。
【図５】第３実施例における各ＬＥＤの配置パターン。
【図６】光源装置の全体構造。
【図７】従来例におけるＬＥＤの配置パターン（Ａ）および配光分布（Ｂ）。
【発明を実施するための形態】
【００１０】
図１に本発明の空間照明用の光源装置１が示されていて、図１（Ａ）は平面図、（Ｂ）はそのＢ−Ｂ断面図である。
図１（Ａ）において、光源装置１は縦横に配置された複数の光源体２、２を有していて、この各光源体２には、それぞれ４つのＬＥＤ４（４１〜４４）が縦横に配置されてユニット化されている。
この各光源体２は、図１（Ｂ）に示すように、基板３上に４つのＬＥＤ４（４１〜４４）が配置され、その上に、共通の光学レンズ５が配置されている。
ユニット化されたこれら４つのＬＥＤ４は、赤色ＬＥＤ４１、緑色ＬＥＤ４２、白色ＬＥＤ４３、青色ＬＥＤ４４からなる。そして、各光源体２における各ＬＥＤ４の配置パターンは、隣接する光源体２のＬＥＤ４の配置パターンを一方向に回転させて異なる配置パターンとされている。
この実施例では、隣接光源体２のＬＥＤ４の配置パターンを左回りに９０度ずつ回転させた配置パターンとなっている。
【００１１】
このような配置とすることで、ユニット化された各４つのＬＥＤ４（４１〜４４）は、その位置が各光源体２においてそれぞれ異なる位置に配置されることになり、その結果、照射面での光の偏りが解消されることになる。
図２にその一例として、赤色ＬＥＤ４１からの赤色光の照度分布が示されていて、図７（Ｂ）に示す従来例の照度分布との比較で、赤色光の照度分布が照射面の中央側にシフトして、照射面中心に対して略同心円状に分布されていることが分かる。他の緑色ＬＥＤ４２、白色ＬＥＤ４３、青色ＬＥＤ４４による照度分布も、この赤色光の照度分布と同等であることは容易に理解できる。
こうして、各ＬＥＤ４からの照射エリアの偏りが解消され、照射面において適切に混光させることができ、これにより照射面での色割れ（色ムラ）を改善することができる。
なお、光源体２における４つのＬＥＤ４（４１〜４４）の配置は、図１（Ａ）の配置順に限定されるものではなく、その配置順は任意である。
【００１２】
図３に、隣接光源体２のＬＥＤ４（４１〜４４）の配置パターンを１８０度ずつ回転させて変化させた配置パターンが示されている。
図４に、一例として、照射面における赤色光の照度分布が示されていて、照度分布が照射面の中央側にシフトして照射エリアの偏りが解消され、照度分布は、９０度回転させた場合の照度分布（図２）に比べて、更に偏りの少ない同心円状となっていることが分かる。
これにより、各ＬＥＤ４１〜４４からの照射光を照射面において適切に混色することができ、照射面での色割れ（色ムラ）を大きく改善することができる。
【００１３】
ここで、光源体２の一具体例を挙げると以下の通りである。
図１および図３を参照して、光源体２における各ＬＥＤ４１〜４４は、縦横２つずつに矩形上に配置され、それぞれの隣接する間隔は１．０ｍｍである。ＬＥＤ４に対応する光学レンズ５は、高さが２１ｍｍで、直径は２６ｍｍである。また、各光源体２の隣接間隔は１０ｍｍとして、縦横に３つずつ配置している。隣接する光源体２におけるＬＥＤ４（４１〜４４）の配置パターンは、左回りに９０度もしくは１８０度回転して、異なる配置パターンとしている。
また、図２および図４に示す照度分布は、光源体２から照射面までの距離を１０００ｍｍとして投影した場合の照度分布を等高線で表したものである。
【００１４】
なお、光源体２の配置は、縦３（列）×横３（行）として示したが、その配置は任意であり、例えば、図５に示すように、縦３×横４としてもよい。また、図５の実施例では、隣接する光源体２におけるＬＥＤ４の配置パターンは、１８０度ずつ回転したものが示されている。
また、隣接する光源体２におけるＬＥＤ４の配置パターンは、９０度回転する場合、左回り、右回りのいずれであってもよい。なお、１８０度回転する場合は、左回り、右回りのいずれも同じ配置パターンになることは当然である。
【００１５】
以上のように、本発明においては、特定の発光波長の光を放射する４つのＬＥＤを有する光源体において、隣接する光源体でのＬＥＤの配置パターンを、一方向に回転させて異なる配置パターンとしたので、照射面での照度分布が中央側にシフトし、各ＬＥＤからの異なる発光波長の光の照射エリアでの偏りが解消され、照射面での色割れ（色ムラ）を改善することができる。
【符号の説明】
【００１６】
１  ：光源装置
２  ：光源体
３  ：基板
４  ：ＬＥＤ
４１：赤色ＬＥＤ
４２：緑色ＬＥＤ
４３：白色ＬＥＤ
４４：青色ＬＥＤ
５  ：光学レンズ
【図１】
2019186054.tif 000003
【図２】
2019186054.tif 000004
【図３】
2019186054.tif 000005
【図４】
2019186054.tif 000006
【図５】
2019186054.tif 000007
【図６】
2019186054.tif 000008
【図７】
2019186054.tif 000009